(57)【要約】      （修正有）【課題】手で持たず且つ顔に負担がかからず、走っても画像やカメラがブレないポータブルスマホを提供する。【解決手段】つる１の耳の後方にバッテリーや配線を配置して、支点の耳より後の錘をＷ１として天秤の機能をさせ、ダイナミックバランサーとし、前方にディスプレイ１６やカメラを設けて、その重さをＷ２として、止まっても動いてもＷ１とＷ２のバランスがとれ、鼻などの顔部に荷重がかからないことを特徴とする耳かけダイナミックバランスドスマホ，ＰＣ。【選択図】図１
2015038542.tif 000002
【特許請求の範囲】
【請求項１】
つるの耳の後方にバッテリーや配線を配置して、支点の耳より後の錘をＷ１として天秤の機能をさせ、ダイナミックバランサーとし、前方にディスプレイやカメラを設けて、その重さをＷ２として止まっても動いてもＷ１とＷ２のバランスがとれ、鼻などの顔部に荷重がかからないことを特徴とする耳かけダイナミックバランスドスマホ，ＰＣ。
【発明の詳細な説明】
【技術分野】
【０００１】
本発明は、手持ちでないスマホ，ＰＣ（パソコン）で目付近に情報表示板やカメラを設けたスマホ，ＰＣの改善に関する。
【背景技術】
【０００２】
従来は、手持ちの携帯端末に情報を表示して見ることができるようにしたものであった。だから、携帯端末の情報表示部を見る場合、手がふさがっている欠点があった。
【発明の概要】
【発明が解決しようとする課題】
【０００３】
本発明はこのような課題に鑑みてなされたものであって、スマホやＰＣを手で持たずに操作でき、走ったり移動してもディスプレイやカメラが安定し、且つ鼻部に荷重がかからないスマホ，ＰＣを提供することを目的としている。
【課題を解決するための手段】
【０００４】
バッテリー等を耳の後に配置して、耳の支点を中心にダイナミックバランスがとれて鼻部に荷重がかからないようにし、表示される情報を安定性よく見ることができるようにしたものである。
【発明の効果】
【０００５】
ビューアーやカメラの重さを感ずることがなく、耳を支点として動的前後バランスがとれるので、走行してもビューアーやカメラがブレることなく安定した画面を見ることができ、撮影時もブレず、垂れ形バッテリー部により耳にしっかり保持でき、保持に手を使用しないので両手を使うことができる上に、顔部に荷重がかからないスマホ，ＰＣを得ることができる。
【図面の簡単な説明】
【０００６】
【図１】本発明の第１の実施例を示す図
【図２】本発明の第２の実施例を示す図
【発明を実施するための形態】
【０００７】
図１は本発明の一実施例を示す図である。図において、１，２は支持つるである。１１はつる１端に設けられたバランス用バッテリー（リチウムや電源キャパシタ）及び電子回路１２である。
【０００８】
１５はつる１側面に設けられた動作タッチパネルである。電子回路１２は、ディスプレイ１６，カメラ１８動作や演算，通信の回路や表示データを記憶するメモリやディスプレイ１６を駆動するドライバ等から構成されている。この電子回路１２は、バッテリー又は電源キャパシタ１１からパワーを供給される。表示する情報としては、スマホやPCのディスプレイと同じようなものが表示される。
【０００９】
１３は本発明装置支点で、耳でつる１を支持する。バッテリー１１の重さや電子回路１２の重さＷ１とディスプレイ１６やカメラ１８との重量Ｗ２のバランスをとり、天秤の原理で顔が動いてもダイナミックバランス即ち動的にも水平になる。バッテリー１１や電子回路１２の重量をＷ１、ビューアー１６やカメラ１８，タッチセンサ部１５の重量をＷ２とすると、Ｗ１=Ｗ２となるようにすれば、鼻部１４は無荷重状態になる。１４は「鼻あて」である。
【００１０】
この場合、つる２は本発明装置全体の位置決めのためにあり、反対側の耳１７でホールドする。バッテリー収納部２１の端部を曲線部１９とすることにより、ここを耳かけとして耳の位置決めによる天秤支点位置決めと、これにより本発明装置の安定化を図ることができる。２１はバッテリーケース部、２２は同フタ、２３はバッテリー挿入方向を示す。
【００１１】
１６はディスプレイで映像２０を表示する。該表示部１６は、例えば液晶ディスプレイ（ＬＣＤ）や有機ディスプレイとする。このディスプレイ１６は人の片方の目の前方にくるように設けられており、人はディスプレイ１６に表示された各種の情報、例えばネット情報を見ながら指をつる１の側面に設けられたタッチ操作部１５にタッチして操作することができるようにする。
【００１２】
動作タッチパネル１５に指を触れることで動作させる以外に、音声でコントロールできるようにすることにより指による操作も不要となる（公知技術なので図示せず）。
この場合において、電子回路１２はバッテリー１１からパワーを供給され、ディスプレイ１６に必要な情報を表示させ、またカメラ１８を作動させる。画像、通信制御等用電子回路１２からディスプレイ１６への表示情報はつる１内の配線１２’で供給する。ここで、電子回路１２とディスプレイ１６間をプリント板１２’で接続し配線とすると、見栄えもよくなり、好ましい。カメラ１８は内外部情報をキャッチする。
【００１３】
１８はディスプレイ１６の横に設けられたカメラで、目で見た情報をキャッチできる。このカメラ１８としては、例えばＣＣＤカメラが用いられる。また、各種の情報を表示されたディスプレイ１６で見つつ、歩いたり走ったり跳んだりして移動してもバランスがとれているので、ブレない像が見られる。
【００１４】
図１ではつる１に耳かけ曲線部１９を設けたが、本発明の第２の実施例の図２に示すようにつる１をストレートにし、バッテリー１１や電子回路１２をここに組み込み、耳の後のＷ１を重くして耳より前のＷ２と重量バランスをとるようにした場合の本発明実施例である。図２中、破線で示す部分は、その構成が図１に示す第１の実施例と全く同じであることを示している。
上述の第１の実施例では、つる１側にのみ、バッテリーと電子回路を設けた場合を例にとった。しかしながら、表示情報が複雑化し多岐にわたる場合は、高度の機能を具備するためには他方のつる２にもバッテリーと電子回路を内蔵させるようにすることができる。これが本発明第３の実施例である。
【００１５】
本発明により、ディスプレイでネット情報を見ることのみではなく、目の前の風景に道路案内などを重ねて表示でき、またメールをしたり、カメラ１８で写真を撮ったり、それを編集したりＧＰＳで位置確認することもでき、電話通信，検索，ＰＣ機能を持つことができる。
本発明は、上記のほか、さまざまな変形が考えられるが、これ等は何れも本発明に含まれるものである。
【産業上の利用可能性】
【００１６】
本発明によれば、手で持つ必要がない上、鼻部、顔面部に荷重がかからず、走ってもディスプレイやカメラが揺れることがなく、両手を自由に使用することができ、紛失もせず、従ってデータの紛失もせず、従ってデータの紛失もなく、従来のスマホやＰＣよりはるかに使い勝手が良く、車や航空機操縦中にも使用できることや、産業上多くの利用可能性がある。
【符号の説明】
【００１７】
１  右つる
２  左つる
１１  バッテリー
１２  スマホやＰＣの電子回路
１２’  つる内配線、回路
１３  使用者の耳上部の天秤バランス支点
１４  鼻あて
１５  動作用タッチパネル
１６  ディスプレイ
１７  他の例の耳の位置
１８  カメラ
１９  バッテリー，回路等収容部の耳かけ曲線部
２０  ディスプレイ１６の映像
２１  バッテリーケース
２２  バッテリーふた
２３  バッテリー挿入方向
【図１】
2015038542.tif 000003
【図２】
2015038542.tif 000004
【手続補正書】
【提出日】平成26年11月27日(2014.11.27)
【手続補正１】
【補正対象書類名】特許請求の範囲
【補正対象項目名】請求項１
【補正方法】変更
【補正の内容】
【請求項１】
つるの耳の後方にバッテリーと配線を配置して、支点の耳より後の錘をＷ１として天秤機能をさせ、ダイナミックバランサーとし、前方にディスプレイ又はカメラを設けて、その重さをＷ２として止まっても動いてもＷ１とＷ２のバランスを、スタティックバランス及びダイナミックバランスをディスプレイ・カメラ部とバッテリー部とによりとり、鼻などの顔部に荷重がかからないことを特徴とする耳かけダイナミックバランスドスマホ，ＰＣ。